(57)【要約】【課題】必要に応じてＤ２Ｄの通信を優先的に行うことが可能な技術を提供すること。【解決手段】Ｄ２Ｄ通信をサポートする無線通信システムにおけるユーザ装置であって、ＵＬ用の無線リソースに繰り返し設定されるＧａｐ期間を示すＧａｐパターンを記憶する記憶部と、前記記憶部に記憶されている前記Ｇａｐパターンで示されるＧａｐ期間でＤ２Ｄコミュニケーションの信号を送信する送信部と、を有するユーザ装置を提供する。【選択図】図１２
2019134196.tif 000002
【特許請求の範囲】
【請求項１】
Ｄ２Ｄ通信をサポートする無線通信システムにおけるユーザ装置であって、
ＵＬ用の無線リソースに繰り返し設定されるＧａｐ期間を示すＧａｐパターンを記憶する記憶部と、
前記記憶部に記憶されているＧａｐパターンで示されるＧａｐ期間でＤ２Ｄコミュニケーションの信号を送信する送信部と、
を有するユーザ装置。
【請求項２】
Ｄ２Ｄコミュニケーションの信号を所定の周期で送信するための無線リソースを選択する選択部と、
前記選択部で選択された無線リソースに対応するＧａｐパターンの決定を基地局に要求する要求部と、
前記基地局で決定されたＧａｐパターンを、前記基地局から取得して前記記憶部に格納する取得部と、
を有する、請求項１に記載のユーザ装置。
【請求項３】
ＵＬ通信の優先度よりもＤ２Ｄコミュニケーションの通信の優先度が高い場合に、Ｄ２Ｄコミュニケーションの信号を所定の周期で送信するための無線リソースを選択する選択部と、
前記選択部で選択された無線リソースを基地局に報告する報告部と、
を有し、
前記選択部は、選択した無線リソースをＧａｐ期間に含むＧａｐパターンを前記記憶部に格納する、請求項１に記載のユーザ装置。
【請求項４】
Ｄ２Ｄコミュニケーションの信号を所定の周期で送信可能にするための無線リソースの割当て情報を基地局に要求する要求部と、
前記Ｄ２Ｄコミュニケーションの信号を所定の周期で送信可能にするための無線リソースを示すリソース割当て情報を前記基地局から取得すると共に、取得した前記リソース割当て情報で示される前記基地局で割当てられた無線リソースをＧａｐ期間に含むＧａｐパターンを前記記憶部に格納する取得部と、
を有する、請求項１に記載のユーザ装置。
【請求項５】
Ｄ２Ｄ通信をサポートする無線通信システムにおけるユーザ装置であって、
Ｄ２Ｄコミュニケーションの信号を生成する第一の生成部と、
ＵＬ信号を生成する第二の生成部と、
Ｄ２Ｄコミュニケーションの信号とＵＬ信号との間の優先度を判断すると共に、優先度が高いと判断されたＤ２Ｄコミュニケーションの信号又はＵＬ信号を送信する送信部と、
を有し、
前記送信部は、前記第一の生成部からＤ２Ｄコミュニケーションの信号が通知され、かつ、前記第二の生成部からＵＬ信号が通知された場合において、前記Ｄ２Ｄコミュニケーションの信号が前記ＵＬ信号よりも優先度が高い場合に、前記第一の生成部から通知された前記Ｄ２Ｄコミュニケーションの信号を送信する、ユーザ装置。
【請求項６】
Ｄ２Ｄ通信をサポートする無線通信システムにおけるユーザ装置が実行する信号送信方法であって、
ＵＬ用の無線リソースに繰り返し設定されるＧａｐ期間を示すＧａｐパターンを記憶部に記憶するステップと、
前記記憶部に記憶されている前記Ｇａｐパターンで示されるＧａｐ期間でＤ２Ｄコミュニケーションの信号を送信するステップと、
を有する信号送信方法。
【発明の詳細な説明】
【技術分野】
【０００１】
本発明は、ユーザ装置及び信号送信方法に関する。
【背景技術】
【０００２】
ＬＴＥ（Long Term Evolution）及びＬＴＥの後継システム（例えば、ＬＴＥ−Ａ（LTE Advanced）、４Ｇ、ＦＲＡ（Future Radio Access）、５Ｇなどともいう）では、ユーザ装置同士が無線基地局を介さないで直接通信を行うＤ２Ｄ（Device to Device）技術が検討されている（例えば、非特許文献１）。
【０００３】
Ｄ２Ｄは、ユーザ装置と基地局との間のトラヒックを軽減したり、災害時などに基地局が通信不能になった場合でもユーザ装置間の通信を可能とする。
【０００４】
Ｄ２Ｄは、通信可能な他のユーザ装置を見つけ出すためのＤ２Ｄディスカバリ（D2D discovery、Ｄ２Ｄ発見ともいう）と、ユーザ装置間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。
【０００５】
また、３ＧＰＰ（3rd Generation Partnership Project）では、Ｄ２Ｄ機能を拡張することでＶ２Ｘを実現することが検討されている。ここで、Ｖ２Ｘとは、ＩＴＳ（Intelligent Transport Systems）の一部であり、図１に示すように、自動車間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure）、自動車とドライバーのモバイル端末との間で行われる通信形態を意味するＶ２Ｎ（Vehicle to Nomadic device）、及び、自動車と歩行者のモバイル端末との間で行われる通信形態を意味するＶ２Ｐ（Vehicle to Pedestrian）の総称である。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【非特許文献２】３ＧＰＰ  ＴＳ３６．３００  Ｖ１３．２．０（２０１５−１２）
【非特許文献３】３ＧＰＰ  ＴＳ３６．３３１  Ｖ１３．１．０（２０１６−０３）
【発明の概要】
【発明が解決しようとする課題】
【０００７】
Ｖ２Ｘでは、様々な種別のデータが送受信されることが想定されている。例えば、自動車間で事故の発生を知らせるデータのように優先度の高いデータが送受信されるケース、及び、所定の周期（例えば１００ｍｓ周期など）でセミパーシステントなデータが送受信されるケース等が想定されている。
【０００８】
ここで、Ｖ２ＸのベースとなるＤ２Ｄの技術は、ＵＬ（Uplink）用のリソースの一部をＤ２Ｄ信号の送受信に利用する前提であり、現在の３ＧＰＰにおけるＤ２Ｄの仕様（Ｒｅｌ−１２及びＲｅｌ−１３）の仕様では、Ｄ２Ｄの通信よりもＵＬの通信を優先させる前提で各種の仕様が規定されている。
【０００９】
Ｖ２Ｘでは、上述のように優先度の高いデータの送受信が想定されていることから、必要に応じてＶ２Ｘの通信をＵＬの通信よりも優先させる必要があると考えられる。しかしながら、現在の３ＧＰＰにおけるＤ２Ｄの仕様では、基本的にＵＬの通信が優先される前提で規定されているため、Ｖ２Ｘの通信を優先させることができないという課題がある。なお、Ｖ２ＸはＤ２Ｄの一種であると考えると、上記のような課題はＶ２Ｘに限らず、優先度の高いＤ２Ｄの通信全般に生じ得る課題である。
【００１０】
開示の技術は上記に鑑みてなされたものであって、必要に応じてＤ２Ｄの通信を優先的に行うことが可能な技術を提供することを目的とする。
【課題を解決するための手段】
【００１１】
開示の技術のユーザ装置は、Ｄ２Ｄ通信をサポートする無線通信システムにおけるユーザ装置であって、ＵＬ用の無線リソースに繰り返し設定されるＧａｐ期間を示すＧａｐパターンを記憶する記憶部と、前記記憶部に記憶されている前記Ｇａｐパターンで示されるＧａｐ期間でＤ２Ｄコミュニケーションの信号を送信する送信部と、を有する。
【発明の効果】
【００１２】
開示の技術によれば、必要に応じてＤ２Ｄの通信を優先的に行うことが可能な技術が提供される。
【図面の簡単な説明】
【００１３】
【図１】Ｖ２Ｘを説明するための図である。
【図２】Ｄ２Ｄを説明するための図である。
【図３】Ｄ２Ｄ通信に用いられるＭＡＣ  ＰＤＵを説明するための図である。
【図４】ＳＬ−ＳＣＨ  ｓｕｂｈｅａｄｅｒのフォーマットを説明するための図である。
【図５】Ｄ２Ｄで使用されるチャネル構造の例を説明するための図である。
【図６】ＰＳＤＣＨの構造例を示す図である。
【図７】ＰＳＣＣＨとＰＳＳＣＨの構造例を示す図である。
【図８】リソースプールコンフィギュレーションを示す図である。
【図９】Ｔｘ  Ｇａｐパターンの設定例を示す図である。
【図１０】Ｇａｐパターンを設定する情報要素を示す図である。
【図１１】実施の形態に係る無線通信システムの構成例を示す図である。
【図１２】Ｖ２Ｘデータを含むＤ２Ｄ信号の送信方法（その１）を説明するための図である。
【図１３】Ｖ２Ｘデータを含むＤ２Ｄ信号の送信方法（その１−１）を示すシーケンス図である。
【図１４】Ｖ２Ｘデータを含むＤ２Ｄ信号の送信方法（その１−２）を示すシーケンス図である。
【図１５】Ｖ２Ｘデータを含むＤ２Ｄ信号の送信方法（その１−３）を示すシーケンス図である。
【図１６】Ｖ２Ｘデータを含むＤ２Ｄ信号の送信方法（その２）を示すシーケンス図である。
【図１７】ユーザ装置の上位レイヤ及び物理レイヤの動作を示す図である。
【図１８】Ｖ２Ｘ通信及びＵＬ通信の間の優先度を設定する際の処理手順の一例を示すシーケンス図である。
【図１９】受信用のギャップを用いたセンシングを行う際の処理手順の一例を示すシーケンス図である。
【図２０】実施の形態に係るユーザ装置の機能構成の一例を示す図である。
【図２１】実施の形態に係る基地局の機能構成の一例を示す図である。
【図２２】実施の形態に係るユーザ装置及び基地局のハードウェア構成の一例を示す図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１５】
また、本実施の形態は、主にＶ２Ｘを対象としているが、本実施の形態に係る技術は、Ｖ２Ｘに限らず、広くＤ２Ｄ全般に適用可能である。また、「Ｄ２Ｄ」はその意味としてＶ２Ｘを含むものである。
【００１６】
また、「Ｄ２Ｄ」は、ユーザ装置ＵＥ間でＤ２Ｄ信号を送受信する処理手順のみならず、Ｄ２Ｄ信号を基地局が受信（モニタ）する処理手順、及び、ＲＲＣ  ｉｄｌｅの場合若しくは基地局ｅＮＢとコネクションを確立していない場合に、ユーザ装置ＵＥが基地局ｅＮＢに上り信号を送信する処理手順を含む広い意味で使用する。
【００１７】
＜Ｄ２Ｄの概要＞
まず、ＬＴＥで規定されているＤ２Ｄの概要について説明する。なお、Ｖ２Ｘにおいても、ここで説明するＤ２Ｄの技術を使用することは可能であり、本発明の実施の形態におけるユーザ装置ＵＥは、当該技術によるＤ２Ｄ信号の送受信を行うことができる。
【００１８】
既に説明したように、Ｄ２Ｄには、大きく分けて「Ｄ２Ｄディスカバリ」と「Ｄ２Ｄコミュニケーション」がある。「Ｄ２Ｄディスカバリ」については、図２（ａ）に示すように、Ｄｉｓｃｏｖｅｒｙ  ｐｅｒｉｏｄ（ＰＳＤＣＨ（Physical Sidelink Discovery Channel）  ｐｅｒｉｏｄとも呼ばれる）毎に、Ｄｉｓｃｏｖｅｒｙメッセージ用のリソースプールが確保され、ユーザ装置ＵＥはそのリソースプール内でＤｉｓｃｏｖｅｒｙメッセージ（発見信号）を送信する。より詳細にはＴｙｐｅ１、Ｔｙｐｅ２ｂがある。Ｔｙｐｅ１では、ユーザ装置ＵＥが自律的にリソースプールから送信リソースを選択する。Ｔｙｐｅ２ｂでは、上位レイヤシグナリング（例えばＲＲＣ信号）により準静的なリソースが割り当てられる。
【００１９】
「Ｄ２Ｄコミュニケーション」についても、図２（ｂ）に示すように、ＳＣＩ（Sidelink Control Information）／データ送信用のリソースプールが周期的に確保される。送信側のユーザ装置ＵＥはＣｏｎｔｒｏｌリソースプール（ＰＳＣＣＨ（Physical Sidelink Control Channel）リソースプール）から選択されたリソースでＳＣＩによりデータ送信用リソース等を受信側に通知し、当該データ送信用リソースでデータを送信する。「Ｄ２Ｄコミュニケーション」について、より詳細には、Ｍｏｄｅ１とＭｏｄｅ２がある。Ｍｏｄｅ１では、基地局ｅＮＢからユーザ装置ＵＥに送られる（Ｅ）ＰＤＣＣＨ（(Enhanced)Physical Downlink Control Channel）によりダイナミックにリソースが割り当てられる。Ｍｏｄｅ２では、ユーザ装置ＵＥはリソースプールから自律的に送信リソースを選択する。リソースプールについては、ＳＩＢ（System Information Block）で通知されたり、予め定義されたものが使用される。
【００２０】
ＬＴＥにおいて、「Ｄ２Ｄディスカバリ」に用いられるチャネルはＰＳＤＣＨと称され、「Ｄ２Ｄコミュニケーション」におけるＳＣＩ等の制御情報を送信するチャネルはＰＳＣＣＨと称され、データを送信するチャネルはＰＳＳＣＨ（Physical Sidelink Shared Channel）と称される。
【００２１】
Ｄ２Ｄ通信に用いられるＭＡＣ（Medium Access Control）ＰＤＵ（Protocol Data Unit）は、図３に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Service Data Unit）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Sidelink Shared Channel）ｓｕｂｈｅａｄｅｒと、１つ以上のＭＡＣ  ＰＤＵ  ｓｕｂｈｅａｄｅｒで構成される。
【００２２】
図４に示すように、ＳＬ−ＳＣＨ  ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ  ｓｕｂｈｅａｄｅｒの先頭に割り当てられ、ユーザ装置ＵＥが用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２３】
Ｄ２Ｄのチャネル構造の例を図５に示す。図５に示すように、「Ｄ２Ｄコミュニケーション」に使用されるＰＳＣＣＨのリソースプール及びＰＳＳＣＨのリソースプールが割り当てられている。また、「Ｄ２Ｄコミュニケーション」のチャネルの周期よりも長い周期で「Ｄ２Ｄディスカバリ」に使用されるＰＳＤＣＨのリソースプールが割り当てられている。
【００２４】
また、Ｄ２Ｄ用の同期信号としてＰＳＳＳ（Primary Sidelink Synchronization signal）とＳＳＳＳ（Secondary Sidelink Synchronization signal）が用いられる。また、例えばカバレッジ外動作のためにＤ２Ｄのシステム帯域、フレーム番号、リソース構成情報等の報知情報（broadcast information）を送信するＰＳＢＣＨ（Physical Sidelink Broadcast Channel）が用いられる。
【００２５】
図６（ａ）に、「Ｄ２Ｄディスカバリ」に使用されるＰＳＤＣＨのリソースプールの例を示す。リソースプールは、サブフレームのビットマップで設定されるため、図６（ａ）に示すようなイメージのリソースプールになる。他のチャネルのリソースプールも同様である。また、ＰＳＤＣＨは、周波数ホッピングしながら繰り返し送信（ｒｅｐｅｔｉｔｉｏｎ）がなされる。繰り返し回数は例えば０〜３で設定可能である。また、図６（ｂ）に示すように、ＰＳＤＣＨはＰＵＳＣＨベースの構造を有し、ＤＭ−ＲＳ（demodulation reference signal）が挿入される構造になっている。
【００２６】
図７（ａ）に、「Ｄ２Ｄコミュニケーション」に使用されるＰＳＣＣＨとＰＳＳＣＨのリソースプールの例を示す。図７（ａ）に示すとおり、ＰＳＣＣＨは、周波数ホッピングしながら、１回繰り返し送信（ｒｅｐｅｔｉｔｉｏｎ）がなされる。ＰＳＳＣＨは、周波数ホッピングしながら、３回繰り返し送信（ｒｅｐｅｔｉｔｉｏｎ）がなされる。また、図７（ｂ）に示すように、ＰＳＣＣＨとＰＳＳＣＨはＰＵＳＣＨベースの構造を有し、ＤＭＲＳが挿入される構造になっている。
【００２７】
図８に、ＰＳＣＣＨ、ＰＳＤＣＨ、ＰＳＳＣＨ（Ｍｏｄｅ２）におけるリソースプールコンフィギュレーションの例を示す。図８（ａ）に示すように、時間方向では、リソースプールはサブフレームビットマップとして表される。また、ビットマップは、ｎｕｍ．ｒｅｐｒｔｉｔｉｏｎの回数だけ繰り返される。また、各周期における開始位置を示すｏｆｆｓｅｔが指定される。
【００２８】
周波数方向では、連続割り当て（ｃｏｎｔｉｇｕｏｕｓ）と不連続割り当て（ｎｏｎ−ｃｏｎｔｉｇｕｏｕｓ）が可能である。図８（ｂ）は、不連続割り当ての例を示しており、図示のとおり、開始ＰＲＢ、終了ＰＲＢ、ＰＲＢ数（ｎｕｍＰＲＢ）が指定される。
【００２９】
「Ｄ２Ｄディスカバリ」では、ディスカバリギャップ（Ｄｉｓｃｏｖｅｒｙ  ｇａｐ）と呼ばれる周期的なＧａｐ期間が規定されている（非特許文献３）。ディスカバリギャップは、ディスカバリメッセージ（発見信号）をＵＬ送信に用いるキャリアとは異なるキャリアで送受信する必要がある場合を考慮して規定された期間であり、ユーザ装置ＵＥの明示的な要求により設定され、また、送信及び受信でそれぞれ異なる期間を設定可能である。ユーザ装置ＵＥ（特に、複数キャリアで同時に無線信号を送受信する能力を有しないようなユーザ装置ＵＥ）は、送信用（Ｔｘ）のディスカバリギャップの期間内では、自身が備える送信機の周波数をＤ２Ｄディスカバリが行われるキャリアの周波数に切替えてディスカバリメッセージ（発見信号）の送信を行うことができる。同様に、ユーザ装置ＵＥは、受信用（Ｒｘ）のディスカバリギャップの期間内では、自身が備える受信機の周波数をＤ２Ｄディスカバリが行われるキャリアの周波数に切替えてディスカバリメッセージ（発見信号）のモニタ（待ち受け）を行うことができる。なお、送信用のディスカバリギャップの期間では、基地局ｅＮＢは、送信用のディスカバリギャップの期間でＵＬ通信が行われないようにスケジューリングを行う。受信用のディスカバリギャップの期間では、基地局ｅＮＢは、ディスカバリギャップの期間でＤＬ通信が行われないようにスケジューリングを行う。
【００３０】
ディスカバリギャップのパターン（以下、「Ｇａｐパターン」と呼ぶ）は、ユーザ装置ＵＥからのＲＲＣメッセージ（SidelinkUEInformation）に含まれるＴｘ及び／又はＲｘのＧａｐパターンの候補（SL-GapRequest）に基づいて基地局ｅＮＢで決定され、決定されたＴｘ及び／又はＲｘのＧａｐパターンは、ＲＲＣメッセージ（RRC Connection Reconfiguration）に含まれる情報要素（SL-GapPattern）によりユーザ装置ＵＥに設定される。Ｔｘ  Ｇａｐパターンの設定例を図９に示す。なお、ＷＡＮ（Wide Area Network）とはセルラを意味しており、３ＧＰＰでは、主にＤ２Ｄをセルラと区別する際に用いられる表現である。図９では、セルラの無線リソースのうち、特にＵＬリソースを意図している。
【００３１】
ディスカバリギャップに該当するサブフレームは、ビットマップ（gapSubframeBitmap）で表現される。また、当該ビットマップは、ギャップ周期（gapPeriod）で設定された周期で繰り返される。また、各周期における開始位置を示すオフセット（gapOffset）が指定される。当該情報要素を図１０に示す。
【００３２】
＜システム構成＞
図１１は、実施の形態に係る無線通信システムの構成例を示す図である。図１１に示すように、本実施の形態に係る無線通信システムは、基地局ｅＮＢ、ユーザ装置ＵＥ１、ユーザ装置ＵＥ２を有する。図１１において、ユーザ装置ＵＥ１は送信側、ユーザ装置ＵＥ２は受信側を意図しているが、ユーザ装置ＵＥ１とユーザ装置ＵＥ２はいずれも送信機能と受信機能の両方を備える。以下、ユーザ装置ＵＥ１とユーザ装置ＵＥ２を特に区別しない場合、単に「ユーザ装置ＵＥ」と記述する。
【００３３】
図１１に示すユーザ装置ＵＥ１、ユーザ装置ＵＥ２は、それぞれ、ＬＴＥにおけるユーザ装置ＵＥとしてのセルラ通信の機能、及び、上述したチャネルでの信号送受信を含むＤ２Ｄ機能を有している。また、ユーザ装置ＵＥ１、ユーザ装置ＵＥ２は、本実施の形態で説明する動作を実行する機能を有している。なお、セルラ通信の機能及び既存のＤ２Ｄの機能については、一部の機能（本実施の形態で説明する動作を実行できる範囲）のみを有していてもよいし、全ての機能を有していてもよい。
【００３４】
また、ユーザ装置ＵＥは、Ｄ２Ｄの機能を有するいかなる装置であってもよいが、例えば、ユーザ装置ＵＥは、車両、歩行者が保持する端末、ＲＳＵ（ＵＥの機能を有するＵＥタイプＲＳＵ）等である。本実施の形態に係るユーザ装置ＵＥは、１つの周波数（１つのキャリア）でのみ送受信可能な能力を有するユーザ装置ＵＥであってもよいし、複数の周波数（複数のキャリア）で同時に送受信可能な能力を有するユーザ装置ＵＥであってもよい。
【００３５】
また、基地局ｅＮＢについては、ＬＴＥにおける基地局ｅＮＢとしてのセルラ通信の機能、及び、本実施の形態におけるユーザ装置ＵＥの通信を可能ならしめるための機能（リソース割当ての機能、通知機能等）を有している。また、基地局ｅＮＢはＲＳＵ（ｅＮＢの機能を有するｅＮＢタイプＲＳＵ）を含む。
【００３６】
以下の説明に用いる「Ｖ２Ｘデータ」は、Ｖ２Ｖデータであってもよいし、Ｖ２Ｉデータであってもよいし、Ｖ２Ｎデータであってもよいし、Ｖ２Ｐデータであってもよい。また、「データ」とは、特に断りの無い限り、任意のパケット、ＭＡＣ  ＰＤＵ（Protocol Data Unit）又はＴＢ（Transport Block）を含む。また、「Ｄ２Ｄ信号」は、Ｄ２Ｄコミュニケーションの信号（ＳＣＩであってもよいし、データであってもよいし、ＳＣＩとデータの組であってもよい）である前提で説明するが、これに限られず、Ｄ２Ｄディスカバリのメッセージ（発見信号）であってもよい。また、「リソース」とは、特に断りの無い限り、時間リソース（例：サブフレーム）、若しくは、時間及び周波数リソースを含む。
【００３７】
また、以下の説明では、ユーザ装置ＵＥはＶ２Ｘデータを含むＤ２Ｄ信号を送受信する前提で説明するが、必ずしもＤ２Ｄ信号に含まれるデータはＶ２Ｘデータに限られない。本実施の形態は、Ｖ２Ｘデータ以外の任意のデータを含むＤ２Ｄ信号を送受信する場合にも適用することができる。
【００３８】
＜概要＞
本実施の形態では、ユーザ装置ＵＥは、以下で説明する「Ｖ２Ｘデータを含むＤ２Ｄ信号の送信方法（その１）」又は「Ｖ２Ｘデータを含むＤ２Ｄ信号の送信方法（その２）」を用いることで、必要に応じて、Ｖ２Ｘのデータを優先的に送信することを可能にする。なお、基地局ｅＮＢ及びユーザ装置ＵＥは、「Ｖ２Ｘデータを含むＤ２Ｄ信号の送信方法（その１）」及び「Ｖ２Ｘデータを含むＤ２Ｄ信号の送信方法（その２）」の両方をサポートしていてもよいし、いずれか一方のみをサポートしていてもよい。
【００３９】
＜Ｖ２Ｘデータを含むＤ２Ｄ信号の送信方法（その１）＞
続いて、ユーザ装置ＵＥがＶ２Ｘデータを含むＤ２Ｄ信号を送信する際の送信方法（その１）について説明する。送信方法（その１）では、ユーザ装置ＵＥは、前述のディスカバリギャップの仕組みを流用し、ディスカバリギャップの期間（以下、「Ｇａｐ期間」と呼ぶ）でＶ２Ｘデータを含むＤ２Ｄ信号を送信する。従来のＤ２Ｄにおけるディスカバリギャップは、Ｄ２Ｄディスカバリのメッセージ（発見信号）をＵＬのキャリアとは異なるキャリアで送受信する必要がある場合を考慮して規定された期間であり、基地局ｅＮＢは、当該期間ではＵＬ通信が行われないようにスケジューリングを行う。すなわち、当該期間は、ＵＬ通信よりもＤ２Ｄ信号のメッセージの送受信が優先される期間であると言える。そこで、Ｖ２Ｘデータを含むＤ２Ｄ信号の送信方法（その１）では、ユーザ装置ＵＥは、Ｇａｐ期間でＶ２Ｘデータを含むＤ２Ｄ信号を送信することで、Ｖ２Ｘを含むＤ２Ｄ信号の送信を優先的に行うことを可能にする。
【００４０】
図１２は、Ｖ２Ｘデータを含むＤ２Ｄ信号の送信方法（その１）を説明するための図である。Ｖ２Ｘデータを含むＤ２Ｄ信号を送信するためのリソースを含むＴｘ  Ｇａｐパターン（送信用のＧａｐパターン）をユーザ装置ＵＥ及び基地局ｅＮＢで共有しておき、ユーザ装置ＵＥは、Ｔｘ  Ｇａｐパターンで示されるＧａｐ期間でＶ２Ｘデータを含むＤ２Ｄ信号を送信する。なお、送信方法（その１）は、ＵＬ通信と同一のキャリア（intra-Carrier）でＶ２Ｘデータを含むＤ２Ｄ信号の送信が行われる場合、及び、ＵＬ通信と異なるキャリア（inter-Carrier）でＶ２Ｘデータを含むＤ２Ｄ信号の送信が行われる場合の両方に適用することができる。従って、Ｇａｐパターンで示されるＧａｐ期間には、Ｖ２Ｘデータを含むＤ２Ｄ信号を送信するための期間に加えて、ユーザ装置ＵＥが送信機の周波数の切替え（チューニング及び再チューニング）及び切替え先のキャリアと同期するための期間（例えば、Ｄ２Ｄ信号を送信するためのサブフレーム及びこれの前後数サブフレーム）を含んでいてもよい。
【００４１】
ユーザ装置ＵＥ及び基地局ｅＮＢは、以下に示すいずれかの方法により、Ｖ２Ｘデータを含むＤ２Ｄ信号を送信するためのリソースの選択及びＧａｐパターンの決定を行うようにしてもよい。
【００４２】
（送信方法（その１−１））
送信方法（その１−１）では、ユーザ装置ＵＥがＤ２Ｄ信号を送信するためのリソースの選択を行い、基地局ｅＮＢがユーザ装置ＵＥに設定すべきＴｘ  Ｇａｐパターンを決定する。
【００４３】
図１３は、Ｖ２Ｘデータを含むＤ２Ｄ信号の送信方法（その１−１）を示すシーケンス図である。まず、ユーザ装置ＵＥは、Ｖ２Ｘデータをセミパーシステントに送信するための周期的なリソースを選択（再選択を含む）する（Ｓ１１）。なお、周期的なリソースを再選択するとは、既に選択済みの周期的なリソースに問題（例：衝突）が生じた際に、他の周期的なリソースを選択することである。続いて、ユーザ装置ＵＥは、選択した無線リソースに対応するＧａｐパターンを要求するＧａｐパターン要求信号を基地局に送信する（Ｓ１２）。より具体的には、ユーザ装置ＵＥは、Ｇａｐ期間に（再）選択したリソースが含まれるＴｘ  Ｇａｐパターンの候補を生成し、生成したＴｘ  Ｇａｐパターンの候補をＧａｐパターン要求信号に含めて基地局ｅＮＢに送信する。
【００４４】
続いて、基地局ｅＮＢは、ユーザ装置ＵＥから受信したＴｘ  Ｇａｐパターンの候補に基づいて、ユーザ装置ＵＥに設定すべきＴｘ  Ｇａｐパターンを決定し、決定したＴｘ  Ｇａｐパターンをユーザ装置ＵＥに設定（通知）する（Ｓ１３、Ｓ１４）。ユーザ装置ＵＥは、設定されたＴｘ  Ｇａｐパターンで示されるＧａｐ期間でＶ２Ｘデータを含むＤ２Ｄ信号を送信する（Ｓ１５）。
【００４５】
なお、Ｖ２Ｘではユーザ装置ＵＥは主に屋外に存在することから、３ＧＰＰでは、ＧＮＳＳ（Global Navigation Satellite System）の信号を受信できるユーザ装置ＵＥは、基地局ｅＮＢの同期信号に代えて、ＧＮＳＳの信号と同期する同期方法が検討されている。従って、ユーザ装置ＵＥは、ＧＮＳＳの信号と同期している場合、Ｔｘ  Ｇａｐパターンの候補を生成する際に、基地局ｅＮＢの同期タイミングにあわせて（つまり、基地局ｅＮＢがリソースの時間軸を誤認識しないようにして）、Ｔｘ  Ｇａｐパターンの候補を生成する必要がある。
【００４６】
［送信方法（その１−１）に関する変形例］
ステップＳ１２の処理手順において、ユーザ装置ＵＥは、Ｇａｐパターン要求信号を、ＲＲＣメッセージで基地局ｅＮＢに送信してもよいし、レイヤ２シグナリング（ＭＡＣシグナリング）を用いて基地局ｅＮＢに送信するようにしてもよい。後者の場合、Ｇａｐパターン要求信号を示す新たなＭＡＣサブヘッダが用いられてもよい。これにより、遅延及びシグナリング量を削減することができる。
【００４７】
ユーザ装置ＵＥは、送信を予定しているＶ２Ｘデータの優先度を示す情報（Ｖ２Ｘデータの種別を示す情報でもよい）をＧａｐパターン要求信号に含めて基地局ｅＮＢに送信するようにしてもよい（Ｓ１２）。この場合、基地局ｅＮＢは、Ｖ２Ｘデータの優先度を示す情報に基づいて、ユーザ装置ＵＥに設定すべきＴｘ  Ｇａｐパターンを決定するようにしてもよい（Ｓ１３）。例えば、基地局ｅＮＢは、Ｖ２Ｘデータの優先度がＵＬ通信（例えば音声通話など）の優先度よりも低いと判断した場合、ＵＬ通信を優先させるために、Ｔｘ  Ｇａｐパターンの候補に含まれるＧａｐ期間のうち、ＵＬ通信に用いるリソースに該当するＧａｐ期間を間引いたＴｘ  Ｇａｐパターンを、ユーザ装置ＵＥに設定すべきＴｘ  Ｇａｐパターンとして決定することが考えられる。逆に、基地局ｅＮＢは、Ｖ２Ｘデータの優先度がＵＬ通信の優先度よりも高いと判断した場合、ユーザ装置ＵＥから通知されたＴｘ  Ｇａｐパターンの候補を、そのままユーザ装置ＵＥに設定すべきＴｘ  Ｇａｐパターンとして決定することが考えられる。
【００４８】
また、仮に、複数のキャリアでＶ２Ｘの運用がなされているような場合で、かつ、複数のキャリアの各々でＶ２Ｘデータの送信を予定している場合、ユーザ装置ＵＥは、ステップＳ１１の処理手順において、キャリア毎にリソースを（再）選択すると共に、ステップＳ１２の処理手順において、キャリア毎にＴｘ  Ｇａｐパターンの候補を生成し、生成したキャリア毎のＴｘ  Ｇａｐパターンの候補をＧａｐパターン要求信号に含めて基地局ｅＮＢに送信するようにしてもよい。この場合、基地局ｅＮＢは、キャリア毎に、ユーザ装置ＵＥに設定すべきＴｘ  Ｇａｐパターンを決定し（Ｓ１３）、決定したキャリア毎のＴｘ  Ｇａｐパターンをユーザ装置ＵＥに設定（通知）するようにしてもよい（Ｓ１４）。
【００４９】
また、仮に、複数のキャリアでＶ２Ｘの運用がなされているような場合で、かつ、複数のキャリアの各々でＶ２Ｘデータの送信を予定している場合、ユーザ装置ＵＥは、生成したキャリア毎のＴｘ  Ｇａｐパターンの候補に加えて、各キャリアで送信を予定しているＶ２Ｘデータのうち、最上位の優先度を示す情報をＧａｐパターン要求信号に含めて基地局ｅＮＢに送信するようにしてもよい（Ｓ１２）。例えば、キャリアＡでは優先度「１」及び優先度「２」のＶ２Ｘデータの送信を予定しており、キャリアＢでは優先度「３」のＶ２Ｘデータの送信を予定している場合、ユーザ装置ＵＥは、キャリアＡについては優先度「１」のＶ２Ｘデータの送信を予定しており、キャリアＢについては優先度「３」のＶ２Ｘデータの送信を予定していることをＧａｐパターン要求信号に含めて基地局ｅＮＢに送信するようにしてもよい。この場合、基地局ｅＮＢは、キャリア毎の優先度に基づいて、キャリア毎にユーザ装置ＵＥに設定すべきＴｘ  Ｇａｐパターンを決定し（Ｓ１３）、決定したキャリア毎のＴｘ  Ｇａｐパターンをユーザ装置ＵＥに設定（通知）するようにしてもよい（Ｓ１４）。
【００５０】
（送信方法（その１−２））
送信方法（その１−２）では、基地局ｅＮＢは、Ｖ２Ｘ通信及びＵＬ通信の間の優先度をユーザ装置ＵＥに予め設定しておく。ユーザ装置ＵＥは、Ｖ２Ｘデータの送信を予定しており、かつ、ＵＬ通信の優先度よりもＶ２Ｘ通信の優先度が高い場合に、Ｖ２Ｘデータを含むＤ２Ｄ信号を送信するためのリソースの（再）選択を行い、自らＴｘ  Ｇａｐパターンを決定する。また、基地局ｅＮＢは、ユーザ装置ＵＥで（再）選択されたリソースの報告を受けると共に、報告されたリソースに基づいてＴｘ  Ｇａｐパターンを認識し、認識したＴｘ  Ｇａｐパターンに基づいてスケジューリングを行う。
【００５１】
図１４は、Ｖ２Ｘデータを含むＤ２Ｄ信号の送信方法（その１−２）を示すシーケンス図である。まず、基地局ｅＮＢは、Ｖ２Ｘ通信及びＵＬ通信の間の優先度をユーザ装置ＵＥに設定する（Ｓ２１）。基地局ｅＮＢは、報知情報（ＳＩＢ）を用いて、当該優先度をユーザ装置ＵＥに設定するようにしてもよいし、ＲＲＣメッセージを用いて当該優先度をユーザ装置ＵＥに個別に設定するようにしてもよい。続いて、ユーザ装置ＵＥは、Ｖ２Ｘデータの送信を予定しており、かつ、送信を予定しているＶ２Ｘデータの優先度がＵＬ通信の優先度よりも高い場合に、Ｖ２Ｘデータをセミパーシステントに送信するための周期的なリソースを（再）選択する（Ｓ２２）。なお、Ｖ２Ｘデータの送信を予定しているものの、送信を予定しているＶ２Ｘデータの優先度がＵＬ通信の優先度よりも低い場合、ユーザ装置ＵＥは、周期的なリソースを自ら（再）選択するのではなく、例えば前述の送信方法（その１−１）で説明した方法を用いて、Ｔｘ  Ｇａｐパターンの設定を基地局ｅＮＢに要求する（委ねる）ようにしてもよい。
【００５２】
続いて、ユーザ装置ＵＥは、（再）選択した周期的なリソースを示す情報を基地局ｅＮＢに報告する（Ｓ２３）。なお、（再）選択した周期的なリソースを示す情報には、例えば、時間領域の情報（例えば、周期的なサブフレームの位置を示す情報など）、予約期間（例えば、１０ｓ後までのリソースを予約したことを示す情報など）などが含まれる。
【００５３】
続いて、基地局ｅＮＢは、報告された周期的なリソースに基づいて、Ｔｘ  Ｇａｐパターンを暗示的に認識する（Ｓ２４）。続いて、ユーザ装置ＵＥは、（再）選択した周期的なリソースに基づいて、Ｔｘ  Ｇａｐパターンを自ら決定する（Ｓ２５）。なお、ステップＳ２４で基地局ｅＮＢが認識するＴｘ  Ｇａｐパターンと、ステップＳ２５でユーザ装置ＵＥが決定するＴｘ  Ｇａｐパターンは同一であるようにしてもよい。つまり、基地局ｅＮＢ及びユーザ装置ＵＥは、同一の規定（例えば、Ｄ２Ｄ信号を送信するためのサブフレーム及びこれの前後数サブフレームをＧａｐ期間にするとの規定）を用いてＴｘ  Ｇａｐパターンを認識（決定）するようにしてもよい。続いて、ユーザ装置ＵＥは、設定されたＴｘ  Ｇａｐパターンで示されるＧａｐ期間でＶ２Ｘデータを含むＤ２Ｄ信号を送信する（Ｓ２６）。
【００５４】
なお、ユーザ装置ＵＥは、ＧＮＳＳの信号と同期している場合、（再）選択した周期的なリソースを基地局ｅＮＢに報告する際に、基地局ｅＮＢの同期タイミングにあわせて（つまり、基地局ｅＮＢがリソースの時間軸を誤認識しないようにして）、（再）選択した周期的なリソースを報告する必要がある。
【００５５】
［送信方法（その１−２）に関する変形例］
ステップＳ２３の処理手順において、ユーザ装置ＵＥは、（再）選択した周期的なリソースを示す情報を、レイヤ２シグナリング（ＭＡＣシグナリング）を用いて基地局ｅＮＢに送信するようにしてもよい。この場合、（再）選択した周期的なリソースを示す新たなＭＡＣサブヘッダが用いられてもよい。これにより、遅延及びシグナリング量を削減することができる。
【００５６】
（送信方法（その１−３））
次に、送信方法（その１−３）について説明する。送信方法（その１−３）では、基地局ｅＮＢは、ユーザ装置ＵＥがＤ２Ｄ信号を送信するためのリソースの割当てを行い、割当てたリソースをユーザ装置ＵＥに通知する。また、基地局ｅＮＢは割当てたリソースに基づいてＴｘ  Ｇａｐパターンを決定し、決定したＴｘ  Ｇａｐパターンに基づいてスケジューリングを行う。また、ユーザ装置ＵＥは、割当てられたリソースに基づいてＴｘ  Ｇａｐパターンを認識する。
【００５７】
図１５は、Ｖ２Ｘデータを含むＤ２Ｄ信号の送信方法（その１−３）を示すシーケンス図である。ユーザ装置ＵＥは、Ｖ２Ｘデータをセミパーシステントに送信するための周期的なリソースの割当てを基地局ｅＮＢに要求する（Ｓ３１）。続いて、基地局ｅＮＢは、Ｖ２Ｘ通信及びＵＬ通信の間の優先度に基づき、Ｖ２Ｘデータをセミパーシステントに送信することを許可するリソースをユーザ装置ＵＥに割当てると共に、割当てた周期的なリソースをユーザ装置ＵＥに通知する（Ｓ３２）。なお、基地局ｅＮＢは、Ｖ２Ｘ通信及びＵＬ通信の間の優先度次第では、ユーザ装置ＵＥにＶ２Ｘデータをセミパーシステントに送信することを許可しない（つまり、リソースを割当てない）ようにしてもよい。
【００５８】
続いて、基地局ｅＮＢは、割当てた周期的なリソースに基づいて、Ｔｘ  Ｇａｐパターンを決定する（Ｓ３３）。続いて、ユーザ装置ＵＥは、通知された周期的なリソースに基づいて、Ｔｘ  Ｇａｐパターンを暗示的に認識する（Ｓ３４）。なお、ステップＳ３３で基地局ｅＮＢが決定するＴｘ  Ｇａｐパターンと、ステップＳ３４でユーザ装置ＵＥが認識するＴｘ  Ｇａｐパターンは同一であるようにしてもよい。つまり、基地局ｅＮＢ及びユーザ装置ＵＥは、同一の規定（例えば、Ｄ２Ｄ信号を送信するためのサブフレーム及びこれの前後数サブフレームをＧａｐ期間にするという規定）を用いてＴｘ  Ｇａｐパターンを認識（決定）するようにしてもよい。続いて、ユーザ装置ＵＥは、設定されたＴｘ  Ｇａｐパターンで示されるＧａｐ期間でＶ２Ｘデータを含むＤ２Ｄ信号を送信する（Ｓ３５）。
【００５９】
なお、ステップＳ３２の処理手順において、基地局ｅＮＢは、割当てた周期的なリソースを通知する際に、明示的にＴｘ  Ｇａｐパターンを通知するようにしてもよい。この場合、ステップＳ３４の処理手順は省略される。
【００６０】
（送信方法（その１）に関する補足事項）
以上のように、送信が予定されるリソースに対して送信ギャップの設定を要求する（又は選択したリソースを報告する）のではなく、ユーザ装置ＵＥに既に送信ギャップが設定されている場合は、ユーザ装置ＵＥは、既に設定されている送信ギャップに含まれるサブフレームから送信リソースを選択するようにしてもよい。このような動作により送信リソースに周期性がないまたは少ない場合に動的に送信リソースを変更することが容易となる。
【００６１】
＜Ｖ２Ｘデータを含むＤ２Ｄ信号の送信方法（その２）＞
送信方法（その２）では、「Ｖ２Ｘ通信及びＵＬ通信の間の優先度」をユーザ装置ＵＥに設定しておき、ユーザ装置ＵＥは、送信すべきＶ２ＸデータのＴＢと、送信すべきＵＬのＴＢとが衝突した場合、設定された優先度に基づいて、どちらのＴＢを送信すべきかを判断し、優先度が低いと判断されたＴＢをドロップ（破棄）する（又は送信可能になるまでバッファに保持する）。
【００６２】
送信方法（その２）では、送信方法（その１）とは異なりＴｘ  Ｇａｐパターンを利用しない。従って、基地局ｅＮＢは、送信方法（その１）のように、Ｔｘ  Ｇａｐパターンを利用することでＶ２Ｘデータが送信されるタイミングを回避しつつＵＬのスケジューリングを行うことができないため、ユーザ装置ＵＥの内部で、Ｖ２Ｘデータの送信と、ＵＬの送信とが衝突する場合が生じ得ることになる。
【００６３】
図１６は、Ｖ２Ｘデータを含むＤ２Ｄ信号の送信方法（その２）を示すシーケンス図である。以下のステップＳ４１乃至ステップＳ４３の処理手順は、物理レイヤからＴＢの送信が行われる度に繰り返し実行される。
【００６４】
まず、Ｖ２Ｘデータを生成するＶ２Ｘの上位レイヤ（例えば、Ｖ２Ｘのアプリケーションなど）と、ＵＬデータを生成する上位レイヤ（ＵＬのアプリケーションなど）でそれぞれデータが生成され、生成されたそれぞれのデータに対応するＴＢ（ＭＡＣ  ＰＤＵでもよい）が物理レイヤに通知される。続いて、物理レイヤは、Ｖ２ＸデータのＴＢの送信と、ＵＬのＴＢの送信とが衝突したことを検出した場合（つまり、ユーザ装置ＵＥの内部で衝突が発生した場合）、どちらのＴＢの送信を送信するのかを判定する（Ｓ４１）。ここで、Ｖ２Ｘの上位レイヤは、図１７に示すように、ユーザ装置ＵＥに設定された「Ｖ２Ｘ通信及びＵＬ通信の間の優先度」に基づいてＶ２Ｘを優先すべきなのかＵＬを優先すべきなのかを判断し、Ｖ２Ｘ及びＵＬのどちらを優先すべきなのかを示す識別子をＴＢと共に物理レイヤに送信する。また、物理レイヤは、当該識別子に基づいてどちらのＴＢの送信を送信するのかを判定する。当該識別子は、１ビットの情報であってもよい。より具体的には、「１」の場合、Ｖ２ＸのＴＢの送信を優先すべきことを意味し、「０」の場合、ＵＬのＴＢの送信を優先すべきことを意味していてもよい。
【００６５】
続いて、ユーザ装置ＵＥの物理レイヤは、Ｖ２ＸデータのＴＢの送信を優先する場合、Ｖ２Ｘデータ含むＤ２Ｄ信号のＴＢを送信し（Ｓ４２）、ＵＬのＴＢの送信を優先する場合、ＵＬのＴＢを送信する（Ｓ４３）。
【００６６】
図１８は、Ｖ２Ｘ通信及びＵＬ通信の間の優先度をユーザ装置に設定する際のシーケンスを示す図である。Ｖ２Ｘデータをセミパーシステントに送信するための周期的なリソースの（再）選択をユーザ装置ＵＥが自律的に行う場合、基地局ｅＮＢは、報知情報を用いて優先度をユーザ装置ＵＥに設定してもよいし、ＲＲＣメッセージを用いて優先度をユーザ装置ＵＥに設定してもよい（Ｓ５１）。また、これに限られず、ＳＩＭ又はコアネットワーク等によりユーザ装置ＵＥに事前設定（Preconfigured）されていてもよいし、標準仕様等で固定的に設定されていてもよい。一方、ユーザ装置ＵＥがＶ２Ｘデータをセミパーシステントに送信するための周期的なリソースの割当てを基地局ｅＮＢが行う場合、基地局ｅＮＢは、割当てたリソースをユーザ装置ＵＥに通知する際に、「Ｖ２Ｘ通信及びＵＬ通信の間の優先度」をユーザ装置ＵＥに設定するようにしてもよい（Ｓ５１）。
【００６７】
ユーザ装置ＵＥに設定される「Ｖ２Ｘ通信及びＵＬ通信の間の優先度」は、Ｖ２Ｘを優先するのか又はＵＬを優先するのかを示す２択の情報であってもよいし、優先度の順位が詳細に規定された情報であってもよい。後者の場合、例えば、ベアラのＱＣＩ（Quality Class Identifier）又は論理チャネルＩＤで区別される複数のＵＬのクラス（例えば、ＷＡＮトラフィッククラス１、ＷＡＮトラフィッククラス２など）と、Ｖ２Ｘデータの種別で区別される複数のクラス（例えば、Ｖ２Ｘトラフィッククラス１、Ｖ２Ｘトラフィッククラス２など）との間での優先度の順位が規定された情報であってもよい。なお、基地局ｅＮＢは、予め定められた複数の設定パターンのうち、いずれか１つの設定パターンを示すインデックスをユーザ装置ＵＥに設定するようにしてもよい。例えば、「設定パターン１：ＷＡＮトラフィッククラス１  ＞  Ｖ２Ｘトラフィッククラス１  ＞  ＷＡＮトラフィッククラス２・・・」、「設定パターン２：Ｖ２Ｘトラフィッククラス１  ＞  Ｖ２Ｘトラフィッククラス２  ＞  ＷＡＮトラフィッククラス１・・・」のように予め規定された設定パターンのうち、いずれか１つの設定パターンが指定されるようにしてもよい。これにより、基地局ｅＮＢからユーザ装置ＵＥに優先度を設定する際の情報量を削減することができる。
【００６８】
＜受信用のギャップを用いたセンシングについて＞
以上、Ｖ２Ｘデータを含むＤ２Ｄ信号の送信方法について説明したが、本実施の形態では、ユーザ装置ＵＥは、Ｒｘ  Ｇａｐパターンで示されるＧａｐ期間内で、Ｖ２Ｘデータをセミパーシステントに送信するための周期的なリソースの（再）選択を行う際のセンシングを行うようにしてもよい。なお、「センシング」とは、受信電力（受信エネルギ、又は受信強度と称してもよい）を測定する方法、他のユーザ装置ＵＥから送信されるＳＣＩを受信し、デコードして、割り当てられているＳＣＩおよびデータのリソース位置を検知すること、又はこれらを組み合わせることなどにより、リソースの占有状況及び空き状況を判定することを言う。
【００６９】
図１９は、受信用のギャップを用いたセンシングを行う際の処理手順の一例を示すシーケンス図である。まず、ユーザ装置ＵＥは、基地局ｅＮＢにＲｘ  Ｇａｐパターンの決定（設定）を要求する（Ｓ６１）。続いて、基地局ｅＮＢは、決定したＲｘ  Ｇａｐパターンを、ＲＲＣメッセージを用いてユーザ装置ＵＥに設定する（Ｓ６２）。
【００７０】
続いて、ユーザ装置ＵＥは、設定されたＲｘ  Ｇａｐパターンで示されるＧａｐ期間でセンシングを行うことで、当該Ｇａｐ期間（又は、当該Ｇａｐ期間から周波数切り替え等に要する時間を除いた期間）におけるリソースの空き状況を把握し（Ｓ６３）、空いていると判断されるリソースの中から、Ｖ２Ｘデータをセミパーシステントに送信するための周期的なリソースを（再）選択する（Ｓ６４）。なお、ステップＳ６３及びステップＳ６４の処理手順は、Ｖ２Ｘデータを含むＤ２Ｄ信号の送受信に用いられるキャリアで行われる動作である。つまり、ＵＬ通信と同一のキャリア（intra-Carrier）でＶ２Ｘデータの送信が行われる場合、ステップＳ６３及びステップＳ６４の処理手順はＵＬのキャリアで行われ、ＵＬ通信と異なるキャリア（inter-Carrier）でＶ２Ｘデータの送信が行われる場合、ステップＳ６３及びステップＳ６４の処理手順はＵＬとは異なるキャリアで行われることになる。
【００７１】
なお、ユーザ装置ＵＥは、ステップＳ６１の処理手順で基地局ｅＮＢにＲｘ  Ｇａｐパターンの設定を要求する際、"センシングを行うためにＲｘ  Ｇａｐパターンの設定を要求していることを示す情報"を基地局ｅＮＢに通知するようにしてもよい。"センシングを行うためにＲｘ  Ｇａｐパターンの設定を要求していることを示す情報"は、Ｒｘ  Ｇａｐパターンの要求に用いられるメッセージに含まれていてもよいし、Ｒｘ  Ｇａｐパターンの要求に用いられるメッセージとは異なる他のシグナリングメッセージに含まれていてもよい。また、基地局ｅＮＢは、Ｒｘ  Ｇａｐパターンを通知する際（Ｓ６２）、Ｒｘ  Ｇａｐパターンで示されるＧａｐ期間に限定してセンシングを許可することをユーザ装置ＵＥに通知するようにしてもよいし、Ｇａｐ期間に加えて、Ｇａｐ期間とは独立にセンシングを行うことを許容するサブフレームをユーザ装置ＵＥに通知するようにしてもよい。
【００７２】
また、ユーザ装置ＵＥは、リソースの（再）選択のためにセンシングが必要であり、ユーザ装置ＵＥ自身の受信機の能力が不足しており（つまり、センシングとＤＬの受信を同時に行う能力を有していない）、かつ、センシングに利用可能なＲｘ  Ｇａｐパターンが設定されていないと判断した場合に、ステップＳ６１の処理手順で基地局ｅＮＢにＲｘ  Ｇａｐパターンの設定を要求するようにしてもよい。
【００７３】
＜機能構成＞
以上説明した複数の実施の形態の動作を実行するユーザ装置ＵＥ及び基地局ｅＮＢの機能構成例を説明する。
【００７４】
（ユーザ装置）
図２０は、実施の形態に係るユーザ装置の機能構成の一例を示す図である。図２０に示すように、ユーザ装置ＵＥは、信号送信部１０１と、信号受信部１０２と、記憶部１０３と、選択部１０４と、報告部１０５と、要求部１０６と、取得部１０７と、Ｄ２Ｄ信号生成部１０８と、ＵＬ信号生成部１０９と、センシング部１１０とを有する。なお、図２０は、ユーザ装置ＵＥにおいて本発明の実施の形態に特に関連する機能部のみを示すものであり、少なくともＬＴＥに準拠した動作を行うための図示しない機能も有するものである。また、図２０に示す機能構成は一例に過ぎない。本実施の形態に係る動作を実行できるのであれば、機能区分及び機能部の名称はどのようなものでもよい。ただし、これまでに説明したユーザ装置ＵＥの処理の一部（一部の送信方法、又は、変形例のみ等）を実行可能としてもよい。
【００７５】
信号送信部１０１は、Ｄ２Ｄ信号の送信機能とセルラ通信の送信機能を有し、Ｄ２Ｄ信号生成部１０８で生成されたＤ２Ｄ信号、又は、ＵＬ信号生成部１０９で生成されたＵＬ信号から物理レイヤの各種信号を生成し、無線送信する機能を含む。
【００７６】
また、信号送信部１０１は、Ｇａｐパターンで示されるＧａｐ期間でＤ２Ｄ信号を送信する機能を有する。
【００７７】
また、信号送信部１０１は、Ｄ２Ｄ信号とＵＬ信号との間の優先度を判断すると共に、優先度が高いと判断されたＤ２Ｄの信号又はＵＬ信号を送信する機能を有する。より具体的には、信号送信部１０１は、Ｄ２Ｄ信号生成部１０８からＤ２Ｄ信号が通知され、かつ、ＵＬ信号生成部１０９からＵＬ信号が通知された場合において、Ｄ２Ｄ信号がＵＬ信号よりも優先度が高い場合に、Ｄ２Ｄ信号生成部１０８から通知されたＤ２Ｄ信号を送信する。また、信号送信部１０１は、Ｄ２Ｄ信号生成部１０８からＤ２Ｄ信号が通知され、かつ、ＵＬ信号生成部１０９からＵＬ信号が通知された場合において、Ｄ２Ｄ信号がＵＬ信号よりも優先度が低い場合に、ＵＬ信号生成部１０９から通知されたＵＬ信号を送信する。なお、信号送信部１０１は、Ｄ２Ｄ信号生成部１０８から通知されたＶ２Ｘ及びＵＬのどちらを優先すべきなのかを示す識別子に基づいて、Ｄ２Ｄ信号とＵＬ信号との間の優先度を判断するようにしてもよい。
【００７８】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、Ｄ２Ｄ信号の受信機能とセルラ通信の受信機能を有する。
【００７９】
記憶部１０３は、ＵＬ用の無線リソースに繰り返し設定されるＧａｐ期間を示すＧａｐパターンを記憶する機能を有する。
【００８０】
選択部１０４は、Ｄ２Ｄ信号を所定の周期で送信するための無線リソースを（再）選択する機能を有する。また、選択部１０４は、ＵＬ通信の優先度よりもＤ２Ｄ通信の優先度が高い場合に、Ｄ２Ｄ信号を所定の周期で送信するための無線リソースを（再）選択するようにしてもよい。また、選択部１０４は、（再）選択した無線リソースがＧａｐ期間に含まれるＧａｐパターンを記憶部１０３に格納する機能を有する。また、選択部１０４は、（再）選択した無線リソース（サブフレーム）及び（再）選択した無線リソース（サブフレーム）の前後の所定の数のサブフレームをＧａｐ期間とするＧａｐパターンを記憶部１０３に格納するようにしてもよい。
【００８１】
報告部１０５は、選択部１０４で（再）選択された無線リソースを基地局ｅＮＢに報告する機能を有する。
【００８２】
要求部１０６は、選択部１０４で（再）選択された無線リソースに対応するＧａｐパターンの決定を基地局ｅＮＢに要求する機能を有する。なお、要求部１０６は、選択部１０４で（再）選択された無線リソースに対応するＧａｐパターンの決定を要求するＧａｐパターン要求信号を基地局に送信するようにしてもよい。また、要求部１０６は、選択部１０４で（再）選択されたリソースを含むＴｘ  Ｇａｐパターンの候補を生成し、生成したＴｘ  Ｇａｐパターンの候補をＧａｐパターン要求信号に含めるようにしてもよい。
【００８３】
また、要求部１０６は、Ｄ２Ｄ信号を所定の周期で送信可能にするための無線リソースの割当てを基地局ｅＮＢに要求する機能を有する。また、要求部１０６は、受信用のＧａｐパターンの決定（設定）を基地局ｅＮＢに要求する機能を有する。
【００８４】
取得部１０７は、基地局ｅＮＢで決定されたＧＡＰパターンを、基地局ｅＮＢから取得して記憶部１０３に格納する機能を有する。
【００８５】
また、取得部１０７は、Ｄ２Ｄ信号を所定の周期で送信可能にするための無線リソースを示すリソース割当て情報を基地局ｅＮＢから取得すると共に、リソース割当て情報で示される基地局ｅＮＢで割当てられた無線リソースをＧａｐ期間に含むＧａｐパターンを記憶部１０３に格納する機能を有する。なお、取得部１０７は、割当てられた無線リソース（サブフレーム）及び割当てられた無線リソース（サブフレーム）の前後の所定の数のサブフレームをＧａｐ期間とするＧａｐパターンを記憶部１０３に格納するようにしてもよい。
【００８６】
また、取得部１０７は、受信用のＧａｐパターンを基地局ｅＮＢから取得し、記憶部１０３に格納する機能を有する。
【００８７】
Ｄ２Ｄ信号生成部１０８は、Ｄ２Ｄ信号を生成する機能を有する。また、Ｄ２Ｄ信号生成部１０８は、生成したＤ２Ｄ信号のＴＢ（又はＭＡＣ  ＰＤＵ）を信号送信部１０１に渡す。なお、Ｄ２Ｄ信号生成部１０８は、生成したＤ２Ｄ信号のＴＢ（又はＭＡＣ  ＰＤＵ）を信号送信部１０１に渡す際、更に、Ｖ２Ｘ及びＵＬのどちらを優先すべきなのかを示す識別子を信号送信部１０１に渡すようにしてもよい。
【００８８】
ＵＬ信号生成部１０９は、ＵＬ信号を生成する機能を有する。また、ＵＬ信号生成部１０９は、生成したＵＬ信号のＴＢ（又はＭＡＣ  ＰＤＵ）を信号送信部１０１に渡す。
【００８９】
センシング部１１０は、受信用のＧａｐパターンで示される受信用のＧａｐ期間内でセンシングを行うことで、Ｄ２Ｄ信号を送信可能な１以上のリソースを検出する機能を有する。
【００９０】
（基地局）
図２１は、実施の形態に係る基地局の機能構成の一例を示す図である。図２１に示すように、基地局ｅＮＢは、信号送信部２０１と、信号受信部２０２と、受付部２０３と、決定部２０４と、割当部２０５と、通知部２０６とを有する。なお、図２１は、基地局ｅＮＢにおいて本発明の実施の形態に特に関連する機能部のみを示すものであり、少なくともＬＴＥに準拠した動作を行うための図示しない機能も有するものである。また、図２１に示す機能構成は一例に過ぎない。本実施の形態に係る動作を実行できるのであれば、機能区分及び機能部の名称はどのようなものでもよい。ただし、これまでに説明した基地局ｅＮＢの処理の一部（一部の送信方法、又は、変形例のみ等）を実行可能としてもよい。
【００９１】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【００９２】
受付部２０３は、ユーザ装置ＵＥからの各種の要求を受け付ける機能を有する。例えば、受付部２０３は、Ｇａｐパターンの要求、ユーザ装置ＵＥで（再）選択された無線リソースの報告、又は、無線リソースの割当ての要求などをユーザ装置ＵＥから受け付ける機能を有する。
【００９３】
決定部２０４は、ユーザ装置ＵＥからのＧａｐパターン（Ｔｘ  Ｇａｐパターン又はＲｘ  Ｇａｐパターン）の要求に基づいて、Ｇａｐパターン（Ｔｘ  Ｇａｐパターン又はＲｘ  Ｇａｐパターン）の決定を行う機能を有する。また、決定部２０４は、ユーザ装置ＵＥで（再）選択された無線リソースの報告に基づいて、Ｇａｐパターン（Ｔｘ  Ｇａｐパターン）の決定（認識）を行う機能を有する。
【００９４】
割当部２０５は、ユーザ装置ＵＥからの無線リソースの割当ての要求に基づいて、無線リソースの割当てを行う機能を有する。
【００９５】
通知部２０６は、決定部２０４で決定されたＧａｐパターン又は割当部２０５で割当てられた無線リソースをユーザ装置ＵＥに通知する機能を有する。
【００９６】
＜ハードウェア構成＞
上記実施の形態の説明に用いたブロック図（図２０及び図２１）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００９７】
例えば、本発明の一実施の形態におけるユーザ装置ＵＥ及び基地局ｅＮＢは、本発明の信号送信方法の処理を行うコンピュータとして機能してもよい。図３２は、実施の形態に係るユーザ装置ＵＥ及び基地局ｅＮＢのハードウェア構成の一例を示す図である。上述のユーザ装置ＵＥ及び基地局ｅＮＢは、物理的には、プロセッサ１００１、メモリ１００２、ストレージ１００３、通信装置１００４、入力装置１００５、出力装置１００６、バス１００７などを含むコンピュータ装置として構成されてもよい。
【００９８】
なお、以下の説明では、「装置」という文言は、回路、デバイス、ユニットなどに読み替えることができる。ユーザ装置ＵＥ及び基地局ｅＮＢのハードウェア構成は、図に示した各装置を１つ又は複数含むように構成されてもよいし、一部の装置を含まずに構成されてもよい。
【００９９】
ユーザ装置ＵＥ及び基地局ｅＮＢにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１００】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、ユーザ装置ＵＥの信号送信部１０１、信号受信部１０２、記憶部１０３、選択部１０４、報告部１０５、要求部１０６、取得部１０７、Ｄ２Ｄ信号生成部１０８、ＵＬ信号生成部１０９、及びセンシング部１１０、基地局ｅＮＢの信号送信部２０１、信号受信部２０２、受付部２０３、決定部２０４、割当部２０５、及び通知部２０６は、プロセッサ１００１で実現されてもよい。
【０１０１】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置ＵＥの信号送信部１０１、信号受信部１０２、記憶部１０３、選択部１０４、報告部１０５、要求部１０６、取得部１０７、Ｄ２Ｄ信号生成部１０８、ＵＬ信号生成部１０９、及びセンシング部１１０、基地局ｅＮＢの信号送信部２０１、信号受信部２０２、受付部２０３、決定部２０４、割当部２０５、及び通知部２０６は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１０２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る信号送信方法を実施するために実行可能なプログラム（プログラムコード）、ソフトウェアモジュールなどを保存することができる。
【０１０３】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１０４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置ＵＥの信号送信部１０１及び信号受信部１０２、基地局ｅＮＢの信号送信部２０１及び信号受信部２０２は、通信装置１００４で実現されてもよい。
【０１０５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１０６】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１０７】
また、ユーザ装置ＵＥ及び基地局ｅＮＢは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０８】
＜まとめ＞
以上、実施の形態によれば、Ｄ２Ｄ通信をサポートする無線通信システムにおけるユーザ装置であって、ＵＬ用の無線リソースに繰り返し設定されるＧａｐ期間を示すＧａｐパターンを記憶する記憶部と、前記記憶部に記憶されている前記Ｇａｐパターンで示されるＧａｐ期間でＤ２Ｄコミュニケーションの信号を送信する送信部と、を有するユーザ装置が提供される。このユーザ装置ＵＥによれば、必要に応じてＤ２Ｄの通信を優先的に行うことが可能な技術が提供される。
【０１０９】
また、ユーザ装置ＵＥは、Ｄ２Ｄコミュニケーションの信号を所定の周期で送信するための無線リソースを選択する選択部と、前記選択部で選択された無線リソースに対応するＧａｐパターンの決定を基地局に要求する要求部と、前記基地局で決定されたＧａｐパターンを、前記基地局から取得して前記記憶部に格納する取得部と、を有するようにしてもよい。これにより、ユーザ装置ＵＥは、Ｇａｐパターンの決定を基地局ｅＮＢに委ねることができる。
【０１１０】
また、ユーザ装置ＵＥは、ＵＬ通信の優先度よりもＤ２Ｄコミュニケーションの通信の優先度が高い場合に、Ｄ２Ｄコミュニケーションの信号を所定の周期で送信するための無線リソースを選択する選択部と、前記選択部で選択された無線リソースを基地局に報告する報告部と、を有し、前記選択部は、選択した無線リソースをＧａｐ期間に含むＧａｐパターンを前記記憶部に格納するようにしてもよい。これにより、ユーザ装置ＵＥは、Ｄ２Ｄ通信がＵＬ通信よりも優先度が高い場合に、Ｄ２Ｄ信号を周期的に送信するための無線リソースを自ら選択することが可能になると共に、Ｇａｐパターンを自ら決定することが可能になる。
【０１１１】
また、ユーザ装置ＵＥは、Ｄ２Ｄコミュニケーションの信号を所定の周期で送信可能にするための無線リソースの割当て情報を基地局に要求する要求部と、前記Ｄ２Ｄコミュニケーションの信号を所定の周期で送信可能にするための無線リソースを示すリソース割当て情報を前記基地局から取得すると共に、取得した前記リソース割当て情報で示される前記基地局で割当てられた無線リソースをＧａｐ期間に含むＧａｐパターンを前記記憶部に格納する取得部と、を有するようにしてもよい。これにより、ユーザ装置ＵＥは、無線リソースの割当てを基地局ｅＮＢに委ねることができると共に、Ｇａｐパターンを自ら認識することが可能になる。
【０１１２】
また、実施の形態によれば、Ｄ２Ｄ通信をサポートする無線通信システムにおけるユーザ装置であって、Ｄ２Ｄコミュニケーションの信号を生成する第一の生成部と、ＵＬ信号を生成する第二の生成部と、Ｄ２Ｄコミュニケーションの信号とＵＬ信号との間の優先度を判断すると共に、優先度が高いと判断されたＤ２Ｄコミュニケーションの信号又はＵＬ信号を送信する送信部と、を有し、前記送信部は、前記第一の生成部からＤ２Ｄコミュニケーションの信号が通知され、かつ、前記第二の生成部からＵＬ信号が通知された場合において、前記Ｄ２Ｄコミュニケーションの信号が前記ＵＬ信号よりも優先度が高い場合に、前記第一の生成部から通知された前記Ｄ２Ｄコミュニケーションの信号を送信する、ユーザ装置が提供される。このユーザ装置ＵＥによれば、必要に応じてＤ２Ｄの通信を優先的に行うことが可能な技術が提供される。
【０１１３】
また、実施の形態によれば、Ｄ２Ｄ通信をサポートする無線通信システムにおけるユーザ装置が実行する信号送信方法であって、ＵＬ用の無線リソースに繰り返し設定されるＧａｐ期間を示すＧａｐパターンを記憶部に記憶するステップと、前記記憶部に記憶されている前記Ｇａｐパターンで示されるＧａｐ期間でＤ２Ｄコミュニケーションの信号を送信するステップと、を有する信号送信方法が提供される。この信号送信方法によれば、必要に応じてＤ２Ｄの通信を優先的に行うことが可能な技術が提供される。
【０１１４】
＜実施形態の補足＞
「Ｄ２Ｄ信号を所定の周期で送信するための無線リソース」は、Ｄ２Ｄ信号をセミパーシステント（Semi-Persistent）に送信するためのリソースと呼ばれてもよいし、Ｄ２Ｄ信号を送信するためにセミパーシステントにスケジューリングされたリソースと呼ばれてもよい。
【０１１５】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣシグナリング、ＭＡＣシグナリング、報知情報（ＭＩＢ（Master  Information  Block）、ＳＩＢ（System  Information  Block）））、その他の信号又はこれらの組み合わせによって実施されてもよい。また、ＲＲＣメッセージは、ＲＲＣシグナリングと呼ばれてもよい。また、ＲＲＣメッセージは、例えば、ＲＲＣ接続セットアップ（RRC Connection Setup）メッセージ、ＲＲＣ接続再構成（RRC Connection Reconfiguration）メッセージなどであってもよい。
【０１１６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１１７】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【０１１８】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【０１１９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１２０】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１２１】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１２３】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。  本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１２４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２５】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１２６】
ＵＥ  ユーザ装置
ｅＮＢ  基地局
１０１  信号送信部
１０２  信号受信部
１０３  記憶部
１０４  選択部
１０５  報告部
１０６  要求部
１０７  取得部
１０８  Ｄ２Ｄ信号生成部
１０９  ＵＬ信号生成部
１１０  センシング部
２０１  信号送信部
２０２  信号受信部
２０３  受付部
２０４  決定部
２０５  割当部
２０６  通知部
１００１  プロセッサ
１００２  メモリ
１００３  ストレージ
１００４  通信装置
１００５  入力装置
１００６  出力装置
【図１】
2019134196.tif 000003
【図２】
2019134196.tif 000004
【図３】
2019134196.tif 000005
【図４】
2019134196.tif 000006
【図５】
2019134196.tif 000007
【図６】
2019134196.tif 000008
【図７】
2019134196.tif 000009
【図８】
2019134196.tif 000010
【図９】
2019134196.tif 000011
【図１０】
2019134196.tif 000012
【図１１】
2019134196.tif 000013
【図１２】
2019134196.tif 000014
【図１３】
2019134196.tif 000015
【図１４】
2019134196.tif 000016
【図１５】
2019134196.tif 000017
【図１６】
2019134196.tif 000018
【図１７】
2019134196.tif 000019
【図１８】
2019134196.tif 000020
【図１９】
2019134196.tif 000021
【図２０】
2019134196.tif 000022
【図２１】
2019134196.tif 000023
【図２２】
2019134196.tif 000024